(57)【要約】【課題】  建築設備に関する配管用スリーブは、元来円筒形の紙ボイドや発砲スチロール材を使用して来た。その為、型枠が出来上がった上で鉄筋工事の工程に合わせ、スリーブ材を中に差し入れるタイミングを計って待機する時間が相当有った。又円筒形スリープ材は固定方法が難しかった。【解決手段】スリーブ材は元来の円筒形でなく半割り型とし、長さも短い材料を継ぎ足す事で、鉄筋工事のタイミングを計らなくてもスリーブ工事が可能になり、無駄な時間を短縮する事ができる。しかも、しかるべき補強をしてやれば円筒型のスリーブ材としてコンクリートの圧力にも耐えることができる。又、両端の部材に固定用のピースを取付ける事によって釘打ちが可能になり、スリーブ入れ工事の精度の向上にも繋がる。【選択図】  図１
2006022626.tif 000002
【特許請求の範囲】
【請求項１】
自在に動かせる丁番を設けクリップ付き丁番などで固定する事によって円筒形に保持される構造となっている半割型スリーブ材。
【請求項２】
長さが１００ｍｍ程度から２００ｍｍ程度の長さになっている部材を直線的に組み合わせる事によって全体が１本のスリーブ材を形成する構造の半割型スリーブ材。
【請求項３】
１つの部材に目盛を刻んで容易に全体長さが判断出来る部材で構成される半割型スリーブ材。
【請求項４】
分割した半割のスリーブ材を使って行なうスリーブ入れ工事の作業方法
【発明の詳細な説明】
【技術分野】
【０００１】建築設備スリーブ工事の簡素化を図った半割型スリーブ材
【背景技術】
【０００２】建築設備に関する配管用スリーブは、元来円筒形の紙ボイドや発砲スチロール材を使用して来た。梁落としに間に合わなかった場合の為に１０ｃｍ単位の品物が出来たり、空気を中に注入したりする品物などが開発されて世に出ている。
【発明の開示】
【発明が解決しようとする課題】
【０００３】従来行なわれて来た躯体（特に梁など）のスリーブ入れは、紙ボイドや発砲スチロール材、スライド式鉄板製スリーブ材などの円筒形の品物を使用して来た都合上、型枠が出来上がった上で鉄筋工事の工程に合わせ、補強筋を先にスターラップ筋の中に差し入れ、スリーブ材を中に差し入れるタイミングを計って今か、今かと待機する時間が相当有った。【０００４】型枠の精度によって前もって加工していた紙ボイドスリーブ材の長さが合わなかったりする現象が有った。【０００５】又、紙ボイドや発泡スチロール製のスリーブはコンクリート打設後、配管施工時にスリーブ材を抜き出して廃棄物処理をしなければならなかった。
【課題を解決するための手段】
【０００６】この半割スリーブ材を使用する事によって、手さえ入ればスリーブが半割になっている為、すべての鉄筋工事が終わった後でも、容易にスリーブ材を入れ固定する事が出来る。【０００７】梁巾がどんな長さで有っても、この半割スリーブは１００ｍｍ〜２００ｍｍ程度の長さの各部材を、直線的に組み合わせて使用する事で、鉄筋工事が終わった後でも、容易にスリーブ材を入れ固定する事が出来る。【０００８】各部材に目盛が刻んで有る為、現地でスリーブ長さを決定でき、ボイドスリーブを使用していた時の様に型枠の精度を現地で測った後円筒形スリーブ材の切断加工をする必要も無くなる。【０００９】材質に亜鉛鍍金鉄板を使用する事によって、コンクリート打設後、配管施工時にスリーブ材を抜き出し、廃棄処分する必要がない。
【発明の効果】
【００１０】上述したように本発明の半割型スリーブは、鉄筋工事のタイミングに合わせて待機するなどの、無駄な時間を短縮する事ができる。【００１１】型枠が出来た時点でその型枠側壁に墨だしをしておけば、釘打ち用ピース２が両サイドの部材（Ａタイプ、Ｂタイプ）に付いているので容易に釘で固定できるから、スリーブ入れ工事の精度の向上に繋がる。【００１２】各部材が１００ｍｍ〜２００ｍｍ程度の短い部材で、半割になっているため、巾は口径の半分で、しかも丁番４があるので、自在に動き鉄筋組み工事の終わっている所にでも、半割スリーブを自在に入れて組立てる事が出来るので、鉄筋を曲げたり、傷めたりする事もなく、円筒形のスリーブ材を無理に押し込む事も無くなる。
【発明を実施するための最良の形態】
【００１３】以下、本発明の実施の形態を図１〜図９に基づいて説明する。【００１４】図１は、躯体工事の鉄筋組立て工事の終わっている型枠の中に、本発明の半割スリーブ材をセットし、固定した状態の図面である。【００１５】半割スリーブはＡ，Ｂ，Ｃタイプの３種類があり、先端側に使うＡタイプスリーブと最後尾に使うＢタイプ、中間に使うＣタイプで構成されている。【００１６】使い方は、必要なだけの半割スリーブを開いたまま、鉄筋の隙間を利用して型枠の中に入れる。【００１７】Ａタイプのメス側部分６を片方の型枠に、釘打用ピース２の穴を利用して釘で固定する。次にＣタイプの中間に使用するタイプの半割スリーブのメス側部分６をＡタイプのオス側部分７の上にかぶせ、クリップ丁番１をはめてＡタイプ、Ｃタイプのスリーブを固定する。その際全体長さが梁巾に合う様に長さ確定用目盛を使って計算する。次にＢタイプのスリーブをＡ，Ｃタイプの時と同じ様にＣタイプのオス側部分７にＢタイプをかぶせてクリップ丁番１をはめて固定する。その後Ｃタイプの釘打用ピース２の穴を利用して釘で固定する。
クリップ丁番１は、Ａ、Ｂ、Ｃの部材毎に３０度程度ずらして固定すれば、補強効果が得られてより万全になると考える。又、クリップ丁番１の上にガムテープ等を貼ってクリップ丁番１がはずれないようにする事も必要と考える。【００１８】図２においては、半割スリープのＡタイプの形状を示し、図３ではＢタイプを、又、図４ではＣタイプの半割スリーブの形状を説明している。【００１９】図５においては、図２に有るＡタイプ半割スリーブのメス側部分６の断面図（Ａ−Ａ）とオス側部分７の断面図（Ｂ−Ｂ）を示し、その開閉動作を表している。【００２０】図６はクリップ丁番１の閉じた所アと開いた所イの詳細を表し、図７では、オス側部分７の鉄板の補強方法を示している。又、図８では丁番４の詳細を示し、図９では、長さ固定用折り返し１０の詳細を表した。【００２１】図において、１はクリップ丁番を示し、これを使うことによってこの半割スリーブ材を、円筒型のスリーブ材にする働きがある。【００２２】図において、２は釘打用ピースで、このピースに穴が有ることでこの半割スリーブを、型枠に釘止めする事が可能になる。【００２３】図において、３は補強リブで、スリーブ本体の強度を保つ為のものである。【００２４】図において、４は丁番で、この丁番によって半割になっている部材を開閉可能にするものである。【００２５】図において、５は３種類の半割スリーブを組み合わせた時に全体長さがいくらになっているかを瞬時に計算出来るようにした目盛で、若干の溝になっている。この溝は後に説明する１０の長さ固定用折り返しの引っ掛かりを入れることによってスリーブの長さ固定を確実にするものである。【００２６】図２に示す様に、この半割スリーブはメス側部分６とオス側部分７の構成になっており、オス側部分７をメス側部分６の中に入るようにセットする事で、既定長さの調達とオス側部分７の補強になっている。オス側部分７は半割しただけの鉄板で有るため、強度を保つのは難しいので、メス側部分６でその補強を助ける様な構造とした。【００２７】図２に示す様に、８はメス側部分の直径を示すもので有るがその内径を「呼び径」とするので、実際の外径は肉厚分大きくなる。９はオス側の直径を示すものだが、メス側のスリーブの中にはいるので、その外径を「呼び径」とする。【００２８】図３に示す様に、ＢタイプとＣタイプのメス側部分６の先端内側には長さ固定用折り返し１０として引っ掛かりを作ってある。【００２９】図３に示す様に、１１は各半割スリーブの部材全種共通で、その長さを示すものであるが、実用性から１００ｍｍ程度が妥当だと思われるが、梁巾の長い場合も考えて２００ｍｍ程度まではラインナップする必要も有る。【００３０】図３に示す様に、１２は半割スリーブの口径（呼び径）を示すものであるが、７５、９６、１００、１２５、１５０、１６０、１７５、２００程度のラインナップは必要と考える。１３はＢタイプの半割スリーブを示すが最後尾に使用する部材なのでメス側部分のみの口径になっている。
【図面の簡単な説明】
【００３１】
【図１】  半割スリーブを使用して型枠にセットした図
【図２】  本発明の本体でＡタイプ（先端部分に使用するタイプ）の構造図
【図３】  同本体でＢタイプ（最後尾部分に使用するタイプ）の構造図
【図４】  同本体でＣタイプ（中間部分に使用するタイプ）の構造図
【図５】  図２における部材のＡ−Ａ、Ｂ−Ｂ断面図と開閉の状態図
【図６】  クリップ丁番の詳細図と動きの図
【図７】  オス側部材の断面詳細図
【図８】  丁番部分の断面詳細図
【図９】  長さ固定用折り返し部分の詳細図
【符号の説明】
【００３２】  １  クリップ丁番
２  釘打ち用ピース
３  補強リブ
４  丁番
５  長さ確定用メモリ
６  本体メス側部分
７  本体オス側部分
１０  長さ固定用折り返し
１１  本体長さ
１２  本体口径ラインナップ
【図１】
2006022626.tif 000003
【図２】
2006022626.tif 000004
【図３】
2006022626.tif 000005
【図４】
2006022626.tif 000006
【図５】
2006022626.tif 000007
【図６】
2006022626.tif 000008
【図７】
2006022626.tif 000009
【図８】
2006022626.tif 000010
【図９】
2006022626.tif 000011